(57)【要約】【課題】隣接した渡り線の接触を防ぎ、渡り線を覆った絶縁膜の劣化を低減することができるモータの固定子を得る。【解決手段】円弧状のコアバック部７ａと、このコアバック部７ａに設けられた固定ティース７ｂ、ティース片８および固定ティース７ｃと、固定ティース７ｂ、ティース片８および固定ティース７ｃの間に導線５が連続して巻回されて構成された巻線部４ａ、巻線部４ｂおよび巻線部４ｃと、隣接した巻線部４ａと巻線部４ｃと間の導線５から構成された渡り線６ａと、隣接した巻線部４ｃと巻線部４ｂとの間の導線５から構成された渡り線６ｂとを備え、巻線部４ａおよび巻線部４ｂと巻線部４ｃとの巻回方向が互いに反対方向であり、隣接した渡り線６ａおよび渡り線６ｂは、コアバック部７ａの厚み方向の両端部側において、互いに反対側に配置されている。【選択図】図３
2009072034.tif 000002
【特許請求の範囲】
【請求項１】
筒形状のコアバックと、
前記コアバックの内周面に、周方向に間隔をおいて設けられた複数のティースと、
それぞれの前記ティースに絶縁被膜された導線が連続して巻回された巻線部と、
隣接した巻線部間を繋いだ複数の渡り線とを備え、
隣接した前記巻線部は、巻回方向が互いに反対方向であり、
隣接した前記渡り線は、前記コアバックの厚み方向の両端部側において、互いに反対側に配置されていることを特徴とする回転電機の固定子。
【請求項２】
前記コアバックと一体に形成された前記ティースである固定ティースに隣接して、前記コアバックと別体に形成された前記ティースであるティース片が前記コアバックに取り付けられていることを特徴とする請求項１に記載の回転電機の固定子。
【請求項３】
エレベータ用巻上モータの固定子に用いられることを特徴とする請求項１または請求項２に記載の回転電機の固定子。
【請求項４】
請求項２に記載の回転電機の固定子の製造方法であって、
前記コアバックから前記ティース片を離した状態で、前記固定ティースに前記導線を一方向に巻回し、前記ティース片に前記導線を前記一方向と反対方向である他方向に巻回する巻回工程と、
互いに隣接した前記渡り線を、前記コアバックの厚み方向の両端部側において、互いに反対側に配置する渡り線配置工程と、
前記コアバックに前記ティース片を取り付ける取付工程と備えたことを特徴とする回転電機の固定子の製造方法。
【発明の詳細な説明】
【技術分野】
【０００１】
この発明は、筒形状のコアバックと、このコアバックの内周面に設けられた複数のティースと、それぞれのティースに絶縁被膜された導線が連続して巻回された巻線部とを備えた回転電機の固定子およびその製造方法に関する。
【背景技術】
【０００２】
従来、円筒形状のコアバックと、前記コアバックの内周面に、周方向に間隔をおいて設けられた複数のティースと、それぞれの前記ティースに絶縁被膜された導線が連続して巻回された巻線部と、隣接した前記巻線部間を繋いだ複数の渡り線とを備えたモータの固定子が知られている（例えば、特許文献１参照）。
そして、それぞれの前記ティースに、隣接した巻線部の巻回方向が互いに反対方向となるように導線を巻回した場合には、それぞれの渡り線がコアバックの厚み方向に一端部側に配置され、隣接した渡り線が互いに交差している。
【０００３】
【特許文献１】特開２００３−２７６９７１号公報
【発明の開示】
【発明が解決しようとする課題】
【０００４】
しかしながら、このものの場合、隣接した渡り線が互いに交差しているので、それぞれの渡り線が接触してしまい、渡り線を覆った絶縁膜が劣化してしまうという問題点があった。
【０００５】
この発明は、上述のような問題点を解決することを課題とするものであって、その目的は、隣接した渡り線の接触を防ぎ、渡り線を覆った絶縁膜の劣化を低減することができる回転電機の固定子を提供するものである。
【課題を解決するための手段】
【０００６】
この発明に係る回転電機の固定子は、筒形状のコアバックと、前記コアバックの内周面に、周方向に間隔をおいて設けられた複数のティースと、それぞれの前記ティースに絶縁被膜された導線が連続して巻回された巻線部と、隣接した巻線部間を繋いだ複数の渡り線とを備え、隣接した前記巻線部は、巻回方向が互いに反対方向であり、隣接した前記渡り線は、前記コアバックの厚み方向の両端部側において、互いに反対側に配置されている。
【０００７】
この発明に係る回転電機の固定子の製造方法は、コアバックからティース片を離した状態で、前記固定ティースに導線を一方向に巻回し、前記ティース片に前記導線を前記一方向と反対方向である他方向に巻回する巻回工程と、互いに隣接した渡り線を、前記コアバックの厚み方向の両端部側において、互いに反対側に配置する渡り線配置工程と、前記コアバックに前記ティース片を取り付ける取付工程と備えている。
【発明の効果】
【０００８】
この発明に係る回転電機の固定子によれば、隣接した渡り線が隣接したティースの厚み方向の両端部側に互いに反対側に配置されるので、渡り線間の接触を防ぎ、渡り線を覆った絶縁膜の劣化を低減することができる。
【０００９】
この発明に係る回転電機の固定子の製造方法によれば、隣接した渡り線が隣接したティースの厚み方向の両端部側に互いに反対側に配置されるので、渡り線間の接触を防ぎ、渡り線を覆った絶縁膜の劣化を低減する回転電機の固定子を製造することができる。
【発明を実施するための最良の形態】
【００１０】
以下、この発明の各実施の形態を図に基づいて説明するが、各図において、同一または相当の部材、部位については、同一符号を付して説明する。
実施の形態１．
図１は実施の形態１に係るモータの固定子１の要部を示す斜視図、図２は図１のコア本体７とティース片８と導線５とを示す平面図、図３は図１のコア本体７とティース片８と導線５とを示す側面図、図４は図１のコア本体７とティース片８とを分解した様子を示す平面図である。
実施の形態１に係る回転電機であるモータの固定子１は、エレベータ用巻上モータの固定子１として用いられるものであって、この固定子１は、コア２とこのコア２に巻装された巻線３とを備えている。
コア２は、円筒形状のコアバック２ａと、このコアバック２ａの内周面に、周方向に等間隔をおいて設けられた複数のティースとを有している。
【００１１】
コア２は、複数個のコア本体７が溶接によって連結されて形成されており、それぞれのコア本体７は、円弧状のコアバック部７ａと、このコアバック部７ａから周方向の一端部の内周面に一体に形成されたティースである固定ティース７ｂと、他端部の内周面に一体に形成されたティースである固定ティース７ｃ有している。
また、コア２は、固定ティース７ｂと固定ティース７ｃとの間のコアバック部７ａに取り付けられた、コアバック部７ａとは別体に形成されたティースであるティース片８を有している。
固定ティース７ｂと固定ティース７ｃと間のコアバック部７ａには、溝７ｄが形成されており、ティース片８に突出して形成された係合部８ａがこの溝７ｄに係合することで、ティース片８がコアバック部７ａに固定されている。
ティース片８をコアバック部７ａに対して厚み方向にスライドさせることで、ティース片８はコアバック部７ａに対して取り付けることができる。
【００１２】
固定ティース７ｂ、固定ティース７ｃおよびティース片８には、一本の絶縁被膜された導線５が連続して巻回されており、固定ティース７ｂに設けられた巻線部４ａおよび固定ティース７ｃに設けられた巻線部４ｂの巻回方向と、ティース片８に設けられた巻線部４ｃの巻回方向とは、互いに反対方向となっている。
巻線３は、巻線部４ａ、巻線部４ｂおよび巻線部４ｃを有している。
【００１３】
巻線部４ａと巻線部４ｃとの間を繋いだ導線５の一部位である渡り線６ａは、コアバック部７ａの厚み方向の一端部側に配置され、巻線部４ｃと巻線部４ｂとの間を繋いだ導線５の一部位である渡り線６ｂは、コアバック部７ａの厚み方向の他端部側に配置されている。
渡り線６ａは、ティース片８に設けられた絶縁体の巻線固定部９により固定され、渡り線６ｂは、固定ティース７ｃに設けられた絶縁体の巻線固定部１０により固定されている。
【００１４】
次に、実施の形態１に係るモータの固定子１の製造方法について説明する。
図５は図４のコアバック部７ａにティース片８を取り付ける様子を示す説明図である。
まず、固定ティース７ｂに導線５を一方向に巻回して巻線部４ａを形成し（巻回工程）、その後、ティース片８の巻線固定部９に渡り線６ａを固定する（渡り線配置工程）。
次に、ティース片８に導線５を他方向に巻回して巻線部４ｃを形成した後、固定ティース７ｃに導線５を一方向に巻回して巻線部４ｂを形成する（巻回工程）。
さらに、コアバック部７ａの溝７ｄにティース片８の係合部８ａを係合させてティース片８をコアバック部７ａに取り付けて（取付工程）、固定ティース７ｃの巻線固定部１０に渡り線６ｂを固定する（渡り線配置工程）。
最後に、複数個のコア本体７を溶接により周方向に連結して、固定子１の製造が終了する。
【００１５】
以上説明したように、実施の形態１に係るモータの固定子１によれば、隣接した渡り線６ａと渡り線６ｂとが、コアバック部７ａの厚み方向の両端部側において、互いに反対側に配置されているので、渡り線６ａと渡り線６ｂとの接触を防ぎ、渡り線６ａまたは渡り線６ｂの導線５を覆った絶縁膜の劣化を低減することができる。
【００１６】
また、ティース片８が、固定ティース７ｂおよび固定ティース７ｃが一体に形成されたコアバック部７ａに自由なタイミングで取り付けることができるので、ティース片８をコアバック部７ａから離した状態で、固定ティース７ｂ、固定ティース７ｃおよびティース片８に導線５を巻回することができる。
その結果、固定ティース７ｂ、固定ティース７ｃおよびティース片８の周囲の空間が広くなるので、導線５を巻回しやすくなり、巻線部４ａ、巻線部４ｂおよび巻線部４ｃを密に形成することができ、さらには、モータの小型化を図ることができる。
【００１７】
また、渡り線６ａまたは渡り線６ｂの導線５を覆った絶縁膜の絶縁劣化による地絡による巻線部４ａ、巻線部４ｂおよび巻線部４ｃの焼損を防ぐことができるので、エレベータの緊急停止を防ぐことができる。
【００１８】
また、実施の形態１に係るモータの固定子１の製造方法によれば、固定ティース７ｂおよび固定ティース７ｃに導線５を一方向に巻回し、ティース片８に導線５を他方向に巻回する巻回工程と、互いに隣接した渡り線６ａおよび渡り線６ｂを、コアバック部７ａの厚み方向の両端部側において、互いに反対側に配置する渡り線配置工程と、コアバック部７ａにティース片８を取り付ける取付工程とを行うことで、渡り線６ａと渡り線６ｂとの接触を防ぎ、渡り線６ａまたは渡り線６ｂの導線５を覆った絶縁膜の劣化を低減するモータの固定子１を製造することができる。
また、取付工程の前に巻回工程を行うことで、巻線部４ａ、巻線部４ｂおよび巻線部４ｃが密に形成されたモータの固定子１を製造することができる。
【００１９】
なお、上記実施の形態１では、回転電機の固定子として、エレベータ用巻上モータの固定子１について説明したが、勿論このものに限らず、その他のモータの固定子であってもよい。
【００２０】
また、上記実施の形態１では、回転電機としてモータを例に説明したが、勿論このものに限らず、発電機であってもよい。
【００２１】
また、上記実施の形態１では、複数個のコア本体７が連結されて構成されたコア２について説明したが、勿論このものに限らず、複数個のコア本体７に分割されず、円筒形状に一体に形成されたコア２であってもよい。
このものの場合、コア２の内周面と周方向に間隔をおいて一体に固定ティースが形成され、固定ティース間のコア２に、ティース片が取り付けられる。
【００２２】
また、上記実施の形態１では、両端部に固定ティース７ｂおよび固定ティース７ｃが一体に形成されたコアバック部７ａと、この固定ティース７ｂと固定ティース７ｃとの間のコアバック部７ａに取り付けられたティース片８とを有したコア２について説明したが、勿論このものに限らない。
例えば、コアバック部７ａの両端部のそれぞれにティース片８を取り付け、それぞれのティース片８の間のコアバック部７ａに一体に固定ティースが形成されたコア２であってもよい。
このものの場合、それぞれのティース片８をコアバック部７ａから離した状態で、それぞれのティース片８および固定ティースに導線５を巻回することで、それぞれの巻線部を密に形成することができる。
【図面の簡単な説明】
【００２３】
【図１】実施の形態１に係るモータの固定子の要部を示す斜視図である。
【図２】図１のコア本体とティース片と導線とを示す平面図である。
【図３】図１のコア本体とティース片と導線とを示す側面図である。
【図４】図１のコア本体とティース片とを分解した様子を示す平面図である。
【図５】図４のコア本体にティース片を取り付ける様子を示す説明図である。
【符号の説明】
【００２４】
１  固定子、２  コア、２ａ  コアバック、３  巻線、４ａ  巻線部、４ｂ  巻線部、４ｃ  巻線部、５  導線、６ａ  渡り線、６ｂ  渡り線、７  コア本体、７ａ  コアバック部、７ｂ  固定ティース、７ｃ  固定ティース、７ｄ  溝、８  ティース片、８ａ  係合部、９  巻線固定部、１０  巻線固定部。
【図１】
2009072034.tif 000003
【図２】
2009072034.tif 000004
【図３】
2009072034.tif 000005
【図４】
2009072034.tif 000006
【図５】
2009072034.tif 000007